(57)【要約】【課題】詳細地形の影響を考慮しつつ、多様な風況における評価地点の風速状態を高精度に予測することができる気象予測装置、気象予測方法、並びに風力発電出力推定装置を提供する。【解決手段】大域における風況から評価地点を含む空間内の風速・風向分布を予測する大域風況解析部と、大域風況解析部で時刻ごとに得られた多数の風速・風向分布から、評価地点における高さ方向の代表的な風速分布を抽出する局所風況解析用の境界条件抽出部と、局所風況解析用の境界条件抽出部で得られた基準風向ごとの代表風速分布を境界条件とし、評価地点を含む空間内の風速・風向分布を予測する局所風況解析部と、局所風況解析部で予測した評価地点での風速分布と境界条件抽出部で求めた代表風速分布の比較により基準風向ごとに異なる補正係数を得る補正係数算出部を備えることを特徴とする気象予測装置。【選択図】図１
2019203728.tif 000002
【特許請求の範囲】
【請求項１】
大域における風況から評価地点を含む空間内の風速・風向分布を予測する大域風況解析部と、前記大域風況解析部で時刻ごとに得られた多数の風速・風向分布から、前記評価地点における高さ方向の代表的な風速分布を抽出する局所風況解析用の境界条件抽出部と、前記局所風況解析用の境界条件抽出部で得られた基準風向ごとの代表風速分布を境界条件とし、前記評価地点を含む空間内の風速・風向分布を予測する局所風況解析部と、前記局所風況解析部で予測した評価地点での風速分布と前記境界条件抽出部で求めた代表風速分布の比較により基準風向ごとに異なる補正係数を得る補正係数算出部を備えることを特徴とする気象予測装置。
【請求項２】
請求項1に記載の気象予測装置であって、
前記評価地点における高さ方向の代表的な風速分布は、前記評価地点に設置する予定の風車の中心位置に置ける高さである基準標高における平均風速を基準風速とし、基準標高と異なる標高における風速と前記基準風速の関係から、高さ方向の代表風速分布を得ることを特徴とする気象予測装置。
【請求項３】
請求項1に記載の気象予測装置であって、
前記評価地点における高さ方向の代表的な風速分布は、前記評価地点に設置する予定の風車の中心位置に置ける高さである基準標高における平均風速を基準風速とし、基準標高と異なる標高における平均風速と前記基準風速から、高さ方向の代表風速分布を得ることを特徴とする気象予測装置。
【請求項４】
請求項1から請求項３のいずれか1項に記載の気象予測装置であって、
前記大域風況解析部で得られた高さ方向の風速分布を、基準風向ごとに補正する大域風況解析結果補正部を備えることを特徴とする気象予測装置。
【請求項５】
請求項1から請求項４のいずれか1項に記載の気象予測装置を用いた風力発電出力推定装置であって、
長期の風況の予測値に対して、前記補正係数を考慮した風況を求めて前記長期における発電量を求める風力発電出力推定部を追加したことを特徴とする風力発電出力推定装置。
【請求項６】
大域における風況から評価地点を含む空間内の風速・風向分布を予測し、時刻ごとに得られた多数の風速・風向分布から、前記評価地点における高さ方向の代表的な風速分布を抽出し、前記代表的な風速分布を境界条件とし、前記評価地点を含む空間内の風速・風向分布を予測し、前記評価地点での風速分布と前記代表的な風速分布の比較により基準風向ごとに異なる補正係数を得ることを特徴とする気象予測方法。
【請求項７】
大域風況解析の計算結果を局所風況解析の境界条件とし、その計算結果を用いて大域風況解析の計算結果を補正する気象予測方法であって、
大域風況解析の計算結果を評価地点の基準標高における基準風向で分類し、基準風向ごとに、基準標高における平均風速を基準風速として算出し、基準標高の風速と基準標高と異なる標高における点での風速の相関性から、標高ごとに最も相関性の高い比例係数を算出し、比例係数を基準風速に積算することで高さ方向の代表風速分布を求め、この代表風速分布を局所風況解析の境界条件とすることを特徴とする気象予測方法。
【請求項８】
大域風況解析の計算結果を局所風況解析の境界条件とし、その計算結果を用いて大域風況解析の計算結果を補正する気象予測方法であって、
大域風況解析の計算結果を基準標高における基準風向で分類し、基準風向ごとに、各標高における平均風速を算出することで高さ方向の代表風速分布を求め、この代表風速分布を局所風況解析の境界条件とすることを特徴とする気象予測方法。
【発明の詳細な説明】
【技術分野】
【０００１】
本発明は、風況についての気象予測並びに予測結果を用いて風力発電出力を推定可能とする気象予測装置、気象予測方法、並びに風力発電出力推定装置に関する。
【背景技術】
【０００２】
現在、風車の年間発電量は、気象予測モデルに基づいた風況解析結果に基づいて予測されている。例えば、気象モデルＷＲＦ（Ｗｅａｔｈｅｒ  ｒｅｓｅａｒｃｈ  ａｎｄ  ｆｏｒｅｃａｓｔ）、地域気象モデルＲＡＭＳ（Ｒｅｇｉｏｎａｌ  Ａｔｍｏｓｐｈｅｒｉｃ  Ｍｏｄｅｌｉｎｇ  Ｓｙｓｔｅｍ）といった数値シミュレータを用いて日本列島の約半分の領域を対象とするような大域の風況解析を行い、風車設置位置における風速変化を予測する。
【０００３】
しかし、この大域風況解析では計算時間等の観点から地形の解像度を高めることに限界があり、また地表面でノンスリップ条件を与えられないため、特に地表から標高１０００ｍ程度までの範囲における大気境界層内の風速変化の予測精度は十分ではない。
【０００４】
そこで、高精度化の一手段として、大域風況解析結果を境界条件とし、非線形風況予測モデルＭＡＳＣＯＴ（Ｍｉｃｒｏｃｌｉｍａｔｅ  Ａｎａｌｙｓｉｓ  Ｓｙｓｔｅｍ  Ｃｏｍｐｌｅｘ  Ｔｅｒｒａｉｎ）やリアムコンパクトＲＩＡＭ−ＣＯＭＰＡＣＴ（登録商標。Ｒｅｓｅａｒｃｈ  Ｉｎｓｔｉｔｕｔｅ  ｆｏｒ  Ａｐｐｌｉｅｄ  Ｍｅｃｈａｎｉｃｓ，  Ｋｙｕｓｈｕ  Ｕｎｉｖｅｒｓｉｔｙ，  ＣＯＭｐｕｔａｔｉｏｎａｌ  Ｐｒｅｄｉｃｔｉｏｎ  ｏｆ  Ａｉｒｆｌｏｗ  ｏｖｅｒ  Ｃｏｍｐｌｅｘ  Ｔｅｒｒａｉｎ）といった別の数値シミュレータを用い、風車周辺数ｋｍ以内の局所的な風況を予測する方法がある。この局所的な風況解析では、地形の解像度を高めることが可能であり、かつ地表面でノンスリップ条件を与えられるため、風車設置位置における風速変化を高精度に予測できる。
【０００５】
上記した大域風況解析と局所風況解析を組み合わせる手法について、例えば非特許文献１が知られている。非特許文献１の特に第３章、第４章には、大域風況解析の結果を統計処理し、局所風況解析の計算条件とすることが記載されている。
【先行技術文献】
【非特許文献】
【０００６】
【非特許文献１】石原孟，非線形風況予測モデルＭＡＳＣＯＴの開発とその実用化，ながれ，２２，３８７−３９６，（２００３）
【発明の概要】
【発明が解決しようとする課題】
【０００７】
上記非特許文献１によれば、大域風況解析と局所風況解析を組み合わせることの方向性が明示されているが、これを実現可能とする、具体的な統計処理の方法については記載されていない。
【０００８】
上記組合せにより実現可能な高精度の気象予測システムとするためには、例えば計算機の処理能力を考慮する必要がある。
【０００９】
風車の年間発電量を見積もる際、例えば、ＷＲＦ、ＲＡＭＳといった大域風況解析用の数値シミュレータを用いて１０分ごとの風速変化を算出し、得られた風速を風車のパワーカーブ（風速と発電量の相関式）を介して発電量に変換する。この発電量を１年間に渡って時間積分することで年間発電量の予測値が得られる。その際、６０（分）／１０（分）×２４（時間）×３６５（日）＝５２５６０ケースの異なる風況が得られるが、これら全てのケースに対して局所風況解析用の境界条件を抽出し、例えばＭＡＳＣＯＴやＲＩＡＭ−ＣＯＭＰＡＣＴ等を用いて局所風況解析を実施することは計算時間の観点から一般的には現実的でない。
【００１０】
そこで、５２５６０ケースの異なる風況を幾つかの代表的な風況に分類し、それらを境界条件として局所風況解析を行い、代表的な風況と風車設置位置における風速の関係に基づいて５２５６０ケース風況を全て補正することが必要となる。
【００１１】
以上のことから本発明においては、詳細地形の影響を考慮しつつ、多様な風況における評価地点の風速状態を詳細な地形を反映して予測することができる気象予測装置、気象予測方法、並びに風力発電出力推定装置を提供することを目的とする。
【課題を解決するための手段】
【００１２】
以上のことから本発明においては、「大域における風況から評価地点を含む空間内の風速・風向分布を予測する大域風況解析部と、大域風況解析部で時刻ごとに得られた多数の風速・風向分布から、評価地点における高さ方向の代表的な風速分布を抽出する局所風況解析用の境界条件抽出部と、局所風況解析用の境界条件抽出部で得られた基準風向ごとの代表風速分布を境界条件とし、評価地点を含む空間内の風速・風向分布を予測する局所風況解析部と、局所風況解析部で予測した評価地点での風速分布と境界条件抽出部で求めた代表風速分布の比較により基準風向ごとに異なる補正係数を得る補正係数算出部を備えることを特徴とする気象予測装置」としたものである。
【００１３】
また本発明においては、「気象予測装置を用いた風力発電出力推定装置であって、長期の風況の予測値に対して、補正係数を考慮した風況を求めて長期における発電量を求める風力発電出力推定部を追加したことを特徴とする風力発電出力推定装置」としたものである。
【００１４】
また本発明においては、「大域における風況から評価地点を含む空間内の風速・風向分布を予測し、時刻ごとに得られた多数の風速・風向分布から、評価地点における高さ方向の代表的な風速分布を抽出し、代表的な風速分布を境界条件とし、評価地点を含む空間内の風速・風向分布を予測し、評価地点での風速分布と代表的な風速分布の比較により基準風向ごとに異なる補正係数を得ることを特徴とする気象予測方法」としたものである。
【００１５】
また本発明においては、「大域風況解析の計算結果を局所風況解析の境界条件とし、その計算結果を用いて大域風況解析の計算結果を補正する気象予測方法であって、大域風況解析の計算結果を評価地点の基準標高における基準風向で分類し、基準風向ごとに、基準標高における平均風速を基準風速として算出し、基準標高の風速と基準標高と異なる標高における点での風速の相関性から、標高ごとに最も相関性の高い比例係数を算出し、比例係数を基準風速に積算することで高さ方向の代表風速分布を求め、この代表風速分布を局所風況解析の境界条件とすることを特徴とする気象予測方法」としたものである。
【００１６】
また本発明においては、「大域風況解析の計算結果を局所風況解析の境界条件とし、その計算結果を用いて大域風況解析の計算結果を補正する気象予測方法であって、
大域風況解析の計算結果を評価地点の基準標高における基準風向で分類し、基準風向ごとに、基準標高における平均風速を基準風速として算出し、基準標高の風速と基準標高と異なる標高における点での風速の相関性から、標高ごとに最も相関性の高い比例係数を算出し、比例係数を基準風速に積算することで高さ方向の代表風速分布を求め、この代表風速分布を局所風況解析の境界条件とすることを特徴とする気象予測方法」としたものである。
【発明の効果】
【００１７】
本発明により、詳細地形の影響を考慮しつつ、多様な風況における評価地点の風速状態を詳細な地形を反映して予測することができる。
【図面の簡単な説明】
【００１８】
【図１】実施例１に係る気象予測装置及び風力発電出力推定装置の構成を示すブロック図。
【図２】実施例１に係る評価地点の基準標高における１６方位の風向（基準風向）で風速分布を分類した結果の一例を示す図。
【図３】基準標高ｈ０での風速Ｖ０と、標高ｈ１における風速Ｖ１の関係を示す図。
【図４】基準標高ｈ０での風速Ｖ０と、標高ｈ２における風速Ｖ２の関係を示す図。
【図５】実施例1に係る高さ方向の代表風速分布５０１を示す図。
【図６】高さ方向の代表風速分布５０１とそれを境界条件として予測した風速分布６０１を示す図。
【図７】実施例２に係る評価地点の基準標高における１６方位の風向（基準風向）で風速分布を分類した結果の他の一例を示す図。
【図８】実施例２に係る高さ方向の代表風速分布８０１を示す図。
【発明を実施するための形態】
【００１９】
以下、図面を参照して本発明の実施例について説明する。
【実施例１】
【００２０】
図１は本発明の実施例１に係る気象予測装置及び風力発電出力推定装置の構成例を示す概略ブロック図である。なお図１は気象予測装置としての構成を示したものであるが、気象予測装置に風車の年間発電量推定のための機能を付与したものが風力発電出力推定装置である。
【００２１】
気象予測装置は、この機能を大別して示すと大域風況解析部１０１、局所風況解析用の境界条件抽出部１０２、局所風況解析部１０３、局所補正係数算出部１０４、大域風況解析結果補正部１０５、出力部１０６の各機能により構成されている。
【００２２】
このうち大域風況解析部１０１では、ＷＲＦ、ＲＡＭＳといったメソ気象モデルの数値シミュレータを用いる。例えば日本列島の約半分の領域を対象とし、気象データと地形データを入力として評価地点(風車の設置予定地点)を含む空間内の風速・風向分布を予測する。
【００２３】
なおここで取り扱う気象データとしては、複数時刻の気象予報データであるＧＰＶ（Ｇｒｉｄ  Ｐｏｉｎｔ  Ｖａｌｕｅ：格子点値）を入力する。ＧＰＶの例としては、５ｋｍ間隔の格子点のそれぞれにおける、３時間ごとの時刻の気象予報データが挙げられる。ＧＰＶは、予測部とは別の数値予測装置によって算出された予報データである。ＧＰＶは例えば日本国の気象業務支援センターから取得することができる。ＧＰＶにはある地点における気象を示す気象情報が含まれる。
【００２４】
また、地形データとしては、例えば国土地理院が発行している１０ｍ間隔の標高データを入力するが、大域風況解析部１０１では１ｋｍ間隔程度の標高データしか計算に用いられない。従って、概略地形データでの計算となる。大域風況解析部１０１での計算の結果、評価地点を含む空間内の風速・風向分布が時刻ごとに多数得られる。
【００２５】
なお本発明に係る風力発電出力推定装置においては、最終的に風車の年間発電量を見積もる処理を行うが、この際、例えば、ＷＲＦ、ＲＡＭＳといった大域風況解析用の数値シミュレータを用いて１０分ごとの風速変化を算出している。然るに過去における風速などの気象情報は例えば時間単位(例えば３時間)での計測情報であることから、１０分ごとの風速を推定する必要がある。このため、大域風況解析部１０１では、さらに時間補間処理により１０分ごとの風速を推定する処理を併せて行っている。
【００２６】
局所風況解析用の境界条件抽出部１０２では、大域風況解析部１０１で時刻ごとに得られた多数の風速・風向分布から、評価地点(風車の設置予定地点)における高さ方向の代表的な風速分布を抽出する。
【００２７】
ここで、大域風況解析部１０１で時刻ごとに得られた多数の風速・風向分布の例を図２に例示しており、局所風況解析用の境界条件抽出部１０２で抽出する評価地点(風車の設置予定地点)における高さ方向の代表的な風速分布を図５に５０１として例示している。以下の説明においては、図２の大域風況解析部１０１で時刻ごとに得られた多数の風速・風向分布から、図５の風速分布５０１を求める考え方について図３、図４を補足説明資料として用いて説明する。
【００２８】
図２には、評価地点(風車の設置予定地点)の基準標高における１６方位の風向（基準風向）で風速分布を分類した結果の一例を示している。図２は、大域風況解析部１０１で時刻ごとに得られた評価地点での風速分布の模式図であり、基準風向が北北西の場合の例を示している。従って、１６方位の風向ごとに図２の風速分布が得られている。以下の説明では北北西の場合を代表例として説明するが、他の方位の扱いも同様である。
【００２９】
図２は、横軸が標高、縦軸が風速であり、縦軸の標高ｈ１は評価地点(風車の設置予定地点)における高さ、基準標高ｈ０は評価地点に設置した風車の中心位置における高さ、標高ｈ２は例えば評価地点の上空１０００ｍである。
【００３０】
ここでは基準風向が北北西の風について、１０ケースの風速分布２０１〜２１０を示している。風況は時刻によって大きく異なっており、例えば風速分布２１０は，地表面付近よりも上空の風速の方が小さくなっている。しかし全体的には、標高の増加に伴って概ね風速が増加する傾向がある。図２のようなグラフが、１６方位の基準風向ごとに得られている。
【００３１】
局所風況解析用の境界条件抽出部１０２では、図２において、基準標高ｈ０における１０ケースの平均風速を算出し、これを基準風速Ｖ０＿ａｖｅとする。次に、基準標高ｈ０の風速と、基準標高と異なる標高ｈｉ（ｉ＝１，２，：）における風速の関係をグラフ化する。
【００３２】
図３は、横軸に基準標高ｈ０での風速Ｖ０を、縦軸に標高ｈ１における風速Ｖ１をとり、両者の関係を示した図である。ここで標高ｈ１は風車設置点における高さ、基準標高ｈ０は評価地点に設置した風車の中心位置における高さであり、標高ｈ１が基準標高ｈ０に比較的近い状況にあるので、Ｖ０とＶ１の相関性は高いことを示している。なお、Ｖ０とＶ１の相関性を示す特性について、原点を通る最小自乗直線３０１を引くと、比例係数Ｋ１を用いて（１）式で表すことができる。
[数１]
Ｖ１＝Ｋ１×Ｖ０    （１）
図４には同様に、基準標高ｈ０との差異が大きい標高ｈ２における風速Ｖ２の場合を示す。Ｖ０とＶ２の相関性は必ずしも高くないが、Ｖ０とＶ２の相関性を示す特性について、原点を通る最小自乗直線４０１を引くと、比例係数Ｋ２を用いて（２）式で表すことができる。
[数２]
Ｖ２＝Ｋ２×Ｖ０    （２）
このように、基準標高ｈ０と異なる標高ｈｉ（ｉ＝１，２，：）における風速Ｖｉは（３）式で表すことができる。
[数３]
Ｖｉ＝Ｋｉ×Ｖ０（ｉ＝１，２，：）    （３）
その結果、比例係数Ｋｉを基準風速Ｖ０＿ａｖｅに積算することで代表風速ＶＲｉが（４）式のように求められ、図５に示すような高さ方向の代表風速分布５０１が得られる。
[数４]
ＶＲｉ＝Ｋｉ×Ｖ０＿ａｖｅ（ｉ＝１，２，：）    （４）
この代表風速分布ＶＲｉを局所風況解析部１０３での境界条件とする。なお、実施例１では原点を通る最小自乗直線３０１，４０１を用いてＶ０とＶｉを関係づけているが、Ｖ０とＶｉの相関性を表す式は必ずしも直線の式でなくても良く、また必ずしも原点を通らなくても良い。即ち、Ｖ０とＶｉの相関性をより適切に表す関数ｆｉを用いて（５）式のように表せるならば、代表風速ＶＲｉは（６）式のように求められる。
[数５]
Ｖｉ＝ｆｉ（Ｖ０）（ｉ＝１，２，：）    （５）
[数６]
ＶＲｉ＝ｆｉ（Ｖ０＿ａｖｅ）（ｉ＝１，２，：）    （６）
以上により、１６方位の基準風向ごとに、高さ方向の代表風速分布が得られる。
【００３３】
局所風況解析部１０３では、ナビエ・ストークス方程式に基づくＲｉａｍ−Ｃｏｍｐａｃｔ、ＳＴＡＲ−ＣＣＭ＋等の数値シミュレータを用いる。例えば評価地点周辺数ｋｍ以内の領域を対象とし、局所風況解析用の境界条件抽出部１０２で得られた１６方位の基準風向ごとの代表風速分布を境界条件とし、評価地点を含む空間内の風速・風向分布を予測する。なお、地形データとしては、例えば国土地理院が発行している１０ｍ間隔の標高データを入力する。局所風況解析部１０３では必要に応じて格子解像度を数ｍ程度まで上げられるため、大域風況解析部１０１に比べてより詳細な地形を反映した計算が可能である。
【００３４】
局所風況解析部１０３の処理によれば、詳細な地形を反映した計算が可能である。このため、局所風況解析部１０３で用いる数値シミュレータでは、地表面でノンスリップ条件を与えられ、地表面での風速は０となっている。一方、大域風況解析部１０１で用いる数値シミュレータでは地表面でノンスリップ条件を与えられないため、地表面における代表風速分布５０１の風速は０ではない。
【００３５】
図６には、基準風向が北北西の場合における、高さ方向の代表風速分布５０１とそれを境界条件として予測した風速分布６０１を示している。高さ方向の代表風速分布５０１は、局所風況解析用の境界条件抽出部１０２で求められたものであり、図５に示したものである。これに対し境界条件を用いて予測した風速分布６０１は、地表面での風速０から風速が増加して、高さ方向の代表風速分布５０１に漸近していく特性として示されている。このため、予測風速分布６０１と代表風速分布５０１の差異は地表面付近で大きく、上空では小さくなる傾向を示す。
【００３６】
補正係数算出部１０４では、局所風況解析部１０３で予測した評価地点での風速分布６０１と代表風速分布５０１の比較を行う。補正係数算出部１０４におけるこれらの比較結果により、代表風速分布ＶＲ（ｈ）と予測風速分布ＶＰ（ｈ）の関係は、（７）式で表すことができる。（７）のｇ（ｈ）が補正係数であり、１６方位の基準風向ごとに異なる補正係数ｇ（ｈ）が得られる。
[数７]
ＶＰ（ｈ）＝ｇ（ｈ）×ＶＲ（ｈ）    （７）
大域風況解析結果補正部１０５では、上記の補正係数ｇ（ｈ）を用い、大域風況解析部１０１で得られた高さ方向の風速分布Ｖ（ｈ）を、１６方位の基準風向ごとに（８）式のように補正する。
[数８]
Ｖｍｏｄ（ｈ）＝ｇ（ｈ）×Ｖ（ｈ）    （８）
出力部１０６は、大域風況解析結果補正部１０５で補正された風速分布Ｖｍｏｄ（ｈ）を出力する。データ出力の例としては、記録媒体への記録、ディスプレイへの表示、外部装置への送信等が挙げられる。
【００３７】
図１に示した気象予測装置としての構成は、概略上記のようであるが、さらに風力発電出力推定装置を実現するためには、例えば大域風況解析結果補正部１０５においてさらに以下の処理を行う事になる。この処理は大域風況解析結果補正部１０５に追加された、風力発電出力推定部(図示せず)において実施される。
【００３８】
風力発電出力推定部での処理は、ＷＲＦ、ＲＡＭＳといった大域風況解析用の数値シミュレータを用いて実施した１０分ごと、かつ１年分の風況（風速、風向）の予測値に対して、風向ごとに補正された風速分布Ｖｍｏｄ（ｈ）に基づいた１０分ごとの発電量を1年分にわたり積算していくことである。
【００３９】
以上説明した実施例1によれば、実際の風速が図２の２０１から２１０のように種々に変化した場合であっても、基準標高ｈ０における風車中心部の風速を、ノンスリップ条件を考慮した補正により求めることで、簡便に対応が可能である。これにより、年間発電量を推定、予測する中でどのような風況が生じたとしても、基準標高ｈ０における風車中心部の風速については、この高さ位置に置ける補正係数ｇ（ｈ）を乗じた値を新たな風速として発電量を求めることで簡便に計算することが可能になる。
【実施例２】
【００４０】
本発明の実施例２に係る気象予測装置は、局所風況解析用の境界条件抽出部１０２で得られる代表風速分布の算出方法が、実施例１に係る気象予測装置とは相違する。
【００４１】
この相違点を、図７を用いて説明する。図７は図２と同じ縦横軸のグラフであるが、本実施例では基準標高ｈ０だけでなく、基準標高と異なる標高ｈｉ（ｉ＝１，２，：）においても１０ケースの平均風速Ｖｉ＿ａｖｅを算出し、（９）式に示すようにこれらを高さ方向の代表風速ＶＲｉとする。
[数９]
ＶＲｉ＝Ｖｉ＿ａｖｅ（ｉ＝１，２，：）    （９）
図８には、このようにして得られた高さ方向の代表風速分布８０１を示す。代表風速分布８０１は、実施例１における代表風速分布５０１とは異なり、特に両者の差異は上空で大きくなる。
【符号の説明】
【００４２】
１０１：大域風況解析部
１０２：局所風況解析用の境界条件抽出部
１０３：局所風況解析部
１０４：補正係数算出部
１０５：大域風況解析結果補正部
１０６：出力部
２０１〜２１０：高さ方向の風速分布の例
３０１、４０１：基準標高の風速と基準標高と異なる標高における風速の相関線
５０１：高さ方向の代表風速分布の例
６０１：局所風況解析で予測した高さ方向の風速分布
８０１：高さ方向の代表風速の例
【図１】
2019203728.tif 000003
【図２】
2019203728.tif 000004
【図３】
2019203728.tif 000005
【図４】
2019203728.tif 000006
【図５】
2019203728.tif 000007
【図６】
2019203728.tif 000008
【図７】
2019203728.tif 000009
【図８】
2019203728.tif 000010